(57)【要約】【課題】コンパクトに構成することが可能なシート排出装置、及び画像形成装置を提供する。【解決手段】シート排出装置２０は、第１排出部２１と、第１積載部２２と、第２排出部２３と、第２積載部２４と、送風部４０と、第１管部５１と、第２管部５２と、浄化部６０とを備える。第１排出部５１は、シートＳを排出する。第１積載部２２は、第１排出部２１の排出したシートＰが積載される。第２排出部２３は、シートＰを排出する。第２積載部２４は、第２排出部２３の排出したシートＰが積載される。送風部４０は、空気の流れを発生させる方向を、第１方向Ｖ１と第２方向Ｗ１との間で切り換え可能である。第１管部５１は、第１空間Ｅ１に連通すると共に、送風部４０に連通する。第２管部５２は、第２空間Ｅ２に連通すると共に、送風部４０に連通する。浄化部６０は、第１管部５１の内部、及び、第２管部５２の内部のうち、少なくとも一方に設置される。【選択図】図３
2019055869.tif 000002
【特許請求の範囲】
【請求項１】
シートを排出する第１排出部と、
前記第１排出部の排出した前記シートが積載される第１積載部と、
前記シートを排出する第２排出部と、
前記第２排出部の排出した前記シートが積載される第２積載部と、
空気の流れを発生させる方向を、第１方向と第２方向との間で切り換え可能な送風部と、
前記第１積載部の上部に位置する第１空間に連通すると共に、前記送風部に連通する第１管部と、
前記第２積載部の上部に位置する第２空間に連通すると共に、前記送風部に連通する第２管部と、
前記第１管部の内部、及び、前記第２管部の内部のうち、少なくとも一方に設置され、前記空気を浄化する浄化部と
を備え、
前記第１方向は、前記第１空間から前記第１管部を介して前記送風部に向かう方向を示し、
前記第２方向は、前記第２空間から前記第２管部を介して前記送風部に向かう方向を示す、シート排出装置。
【請求項２】
前記送風部は、ファンを含み、
前記送風部が一方向に回転すると、前記空気が前記第１方向に流れ、
前記送風部が前記一方向とは反対の他方向に回転すると、前記空気が前記第２方向に流れる、請求項１に記載のシート排出装置。
【請求項３】
前記送風部は、
前記第１方向に前記空気の流れを発生させることで、前記第１管部、及び前記第２管部を介して、前記第１空間の空気を前記第２空間に送り、
前記第２方向に前記空気の流れを発生させることで、前記第２管部、及び前記第１管部を介して、前記第２空間の空気を前記第１空間に送る、請求項１又は請求項２に記載のシート排出装置。
【請求項４】
前記第１管部は、前記第１空間に対向する第１開口部を有し、
前記第２管部は、前記第２空間に対向する第２開口部を有し、
前記第１積載部は、前記第２積載部よりも上方に位置し、
前記第１開口部は、第１排出位置よりも下方に位置し、
前記第１排出位置は、前記第１排出部が前記シートを排出する位置を示し、
前記第２開口部は、第２排出位置よりも上方に位置し、
前記第２排出位置は、前記第２排出部が前記シートを排出する位置を示す、請求項１から請求項３のいずれか１項に記載のシート排出装置。
【請求項５】
前記送風部を制御する制御部をさらに備え、
前記第１排出部が前記シートを排出するとき、前記第１方向に前記空気が流れるように、前記制御部が前記送風部を制御し、
前記第２排出部が前記シートを排出するとき、前記第２方向に前記空気が流れるように、前記制御部が前記送風部を制御する、請求項１から請求項４のいずれか１項に記載のシート排出装置。
【請求項６】
前記浄化部は、活性炭フィルターを含む、請求項１から請求項５のいずれか１項に記載のシート排出装置。
【請求項７】
請求項１から請求項６のいずれか１項に記載のシート排出装置と、
前記シートに画像を形成する画像形成部と
を備える、画像形成装置。
【発明の詳細な説明】
【技術分野】
【０００１】
本発明は、シート排出装置、及び画像形成装置に関する。
【背景技術】
【０００２】
特許文献１に記載のシート排出装置は、記録媒体積載部と、吸引排気手段と備える。記録媒体積載部には、画像を形成された記録媒体が積載される。吸引排気手段は、記録媒体積載部上の記録媒体から放出される空気を吸引し、フィルターを通して排気する。
【先行技術文献】
【特許文献】
【０００３】
【特許文献１】特開２００７−１８８０４３号公報
【発明の概要】
【発明が解決しようとする課題】
【０００４】
しかし、１つの記録媒体積載部に対し、１つの吸引排気手段が設置される。従って、画像形成装置が複数の記録媒体積載部を備える場合、記録媒体積載部毎に吸引排気手段を設置しなければならなかった。その結果、複数の吸引排気手段を設置するためのスペースを確保しなければならず、シート排出装置が大型化するおそれがあった。
【０００５】
本発明は、コンパクトに構成することが可能なシート排出装置、及び画像形成装置を提供することを目的としている。
【課題を解決するための手段】
【０００６】
本発明の一局面によれば、シート排出装置は、第１排出部と、第１積載部と、第２排出部と、第２積載部と、送風部と、第１管部と、第２管部と、浄化部とを備える。第１排出部は、シートを排出する。第１積載部は、前記第１排出部の排出した前記シートが積載される。第２排出部は、前記シートを排出する。第２積載部は、前記第２排出部の排出した前記シートが積載される。送風部は、空気の流れを発生させる方向を、第１方向と第２方向との間で切り換え可能である。第１管部は、前記第１空間に連通すると共に、前記送風部に連通する。第２管部は、前記第２空間に連通すると共に、前記送風部に連通する。浄化部は、前記第１管部の内部、及び、前記第２管部の内部のうち、少なくとも一方に設置され、前記空気を浄化する。前記第１空間は、前記第１積載部の上部に位置する空間を示す。前記第２空間は、前記第２積載部の上部に位置する空間を示す。前記第１方向は、前記第１空間から前記第１管部を介して前記送風部に向かう方向を示す。前記第２方向は、前記第２空間から前記第２管部を介して前記送風部に向かう方向を示す。
【０００７】
本発明の他の一局面によれば、画像形成装置は、上記シート排出装置と、画像形成部とを備える。画像形成部は、前記シートに画像を形成する。
【発明の効果】
【０００８】
本発明によれば、シート排出装置をコンパクトに構成することができる。
【図面の簡単な説明】
【０００９】
【図１】本発明の実施形態に係る画像形成装置の斜視図である。
【図２】画像形成装置の模式的断面図である。
【図３】シート排出装置の拡大図である。
【図４】（ａ）は、清浄部材の第１の斜視図である。（ｂ）は、図４（ａ）に示す清浄部材の断面図である。
【図５】（ａ）は、清浄部材の第２の斜視図である。（ｂ）は、図５（ａ）に示す清浄部材の断面図である。
【図６】画像形成装置を示すブロック図である。
【図７】制御部の動作を示すフローチャートである。
【図８】（ａ）は、空気が第１方向に流れている状態を示す図である。（ｂ）は、空気が第２方向に流れている状態を示す図である。
【図９】画像形成装置の変形例を示す図である。
【発明を実施するための形態】
【００１０】
本発明の実施形態について、図面を参照しながら説明する。なお、図中、同一又は相当部分については同一の参照符号を付して説明を繰り返さない。
【００１１】
図１及び図２を参照して、本発明の実施形態を示す画像形成装置１００について説明する。図１は、画像形成装置１００の斜視図である。図２は、画像形成装置１００の模式的断面図である。
【００１２】
図１、及び図２に示すように、画像形成装置１００は、筐体１と、カバー２と、第１搬送ローラー３と、読取部４と、入力部５と、カセット６と、給送ローラー７と、第２搬送ローラー８と、画像形成部９と、分岐ガイド１０と、後処理装置１１と、第１案内部１２と、第２案内部１３と、第３案内部１４と、第４案内部１５と、シート排出装置２０とを備える。
【００１３】
筐体１は中空の形状を有する。筐体１は、筐体１の内部１ａと、筐体１の外部１ｂとを仕切る壁部１ｃを有する。筐体１の内部１ａには、読取部４と、カセット６と、給送ローラー７と、第２搬送ローラー８と、画像形成部９と、第１案内部１２と、第２案内部１３と、分岐ガイド１０と、後処理装置１１とが設置される。
【００１４】
カバー２は、筐体１に回転可能に取り付けられる。カバー２は、中空の形状を有する。カバー２の内部には、第１搬送ローラー３が設置される。
【００１５】
第１搬送ローラー３は、読取部４に向けてシートを搬送する。読取部４にシートが到達すると、読取部４は、シートに形成された画像を走査して、画像を示す画像データを取得する。読取部４は、例えば、ＬＥＤ（Ｌｉｇｈｔ  Ｅｍｉｔｔｉｎｇ  Ｄｉｏｄｅ）のような発光部と、イメージセンサーのような撮像部とを含む。読取部４は、発光部、及び撮像部を用いて、シートに形成された画像を読み取る。また、筐体１のうち、カバー２に対向する部分には、読取ガラス（不図示）が設置される。読取ガラスと、カバー２との間にシートが設置された状態で、読取部４は、シートに形成された画像を走査して、画像を示す画像データを取得する。
【００１６】
入力部５は、表示部５ａと、操作キー群（不図示）とを含む。入力部５は、画像形成装置１００に対する指示を受け付ける。また、入力部５は、シート排出装置２０に対する指示を受け付ける。表示部５ａは、種々の情報を表示する。表示部５ａは、例えば、ＬＣＤ（Ｌｉｑｕｉｄ  Ｃｒｙｓｔａｌ  Ｄｉｓｐｌａｙ）、又は有機ＥＬＤ（Ｅｌｅｃｔｒｏ  Ｌｕｍｉｎｅｓｃｅｎｃｅ  Ｄｉｓｐｌａｙ）である。表示部５ａは、タッチパネルであってもよい。
【００１７】
カセット６は、シートＳを収容する。給送ローラー７は、カセット６内のシートＳを送出する。第２搬送ローラー８は、給送ローラー７から搬送されたシートＳを、画像形成部９に向けて送出する。
【００１８】
画像形成部９は、シートＳに画像を形成する。画像は、具体的には、トナー画像を示す。画像形成部９は、感光体ドラムと、帯電部と、露光部と、現像部と、転写部と、クリーニング部と、除電部とを含む。感光体ドラム、帯電部、露光部、現像部、及び転写部によって、シートＳに画像が形成される。クリーニング部は、感光体ドラムの表面に残留しているトナーを除去する。除電部は、感光体ドラムの表面の残留電荷を除去する。画像形成部９は、シートＳに画像を形成した後、シートＳを定着部に向けて送出する。定着部は、画像を加熱及び加圧してシートＳに定着させる。
【００１９】
分岐ガイド１０は、画像形成部９に対し、シートＳの搬送方向Ｘの下流に設置される。シートＳの搬送方向Ｘは、画像形成部９がシートＳに画像を形成するときのシートＳの移動方向を示す。
【００２０】
後処理装置１１は、分岐ガイド１０に対し、シートＳの搬送方向Ｘの下流に設置される。後処理装置１１は、シートＳに対して、所定の後処理を行う。所定の後処理は、例えば、パンチ処理、ステープル処理、中折り処理、及び／又は、整合処理である。パンチ処理は、シートＳにパンチ穴を形成する処理である。ステープル処理は、シートＳの束を針のような綴じ具で綴じる処理である。中折り処理は、シートＳを折り畳む処理である。整合処理は、シートＳに対してシフト動作、又は幅合わせ動作を行う処理である。
【００２１】
第１案内部１２と、第２案内部１３と、第３案内部１４と、第４案内部１５との各々は、例えば、案内面と、一対のローラーとを含む。案内面は、搬送方向Ｘに沿って形成される。一対のローラーは、シートＳを挟持しつつ回転して、シートＳを案内面に沿って搬送する。
【００２２】
第１案内部１２は、画像形成部９と分岐ガイド１０との間に介在する。第１案内部１２は、画像形成部９を通過したシートＳを、分岐ガイド１０へ案内する。
【００２３】
第２案内部１３は、分岐ガイド１０と後処理装置１１との間に介在する。第２案内部１３は、分岐ガイド１０から後処理装置１１へシートＳを案内する。
【００２４】
第３案内部１４は、後処理装置１１とシート排出装置２０との間に介在する。第３案内部１４は、後処理装置１１からシート排出装置２０へシートＳを案内する。
【００２５】
第４案内部１５は、分岐ガイド１０とシート排出装置２０との間に介在する。第４案内部１５は、分岐ガイド１０からシート排出装置２０へシートＳを案内する。
【００２６】
分岐ガイド１０は、回動可能に支持される。分岐ガイド１０の姿勢は、第１案内姿勢と第２案内姿勢とに変更可能である。第１案内姿勢は、第１案内部１２と第４案内部１５との連通を遮断しつつ、第１案内部１２と第２案内部１３とを連通させる分岐ガイド１０の姿勢を示す。第２案内姿勢は、第１案内部１２と第２案内部１３との連通を遮断しつつ、第１案内部１２と第４案内部１５とを連通させる第２分岐ガイド８３の姿勢を示す。
【００２７】
分岐ガイド１０の姿勢が第１案内姿勢のとき、分岐ガイド１０は、第１案内部１２から第２案内部１３へシートＳを案内する。そして、第２案内部１３は、シートＳを後処理装置１１へ案内する。そして、後処理装置１１は、シートＳに対して、所定の後処理を行う。そして、第３案内部１４は、後処理装置１１を通過したシートＳを、シート排出装置２０へ案内する。そして、シート排出装置２０は、シートＳを筐体１の外部１ｂへ排出する。
【００２８】
分岐ガイド１０の姿勢が第２案内姿勢のとき、分岐ガイド１０は、第１案内部１２から第４案内部１５へシートＳを案内する。そして、第４案内部１５は、シートＳをシート排出装置２０へ案内する。そして、シート排出装置２０は、シートＳを筐体１の外部１ｂへ排出する。
【００２９】
次に、図３から図５（ｂ）を参照して、シート排出装置２０について説明する。図３は、シート排出装置２０の拡大図である。
【００３０】
図３に示すように、シート排出装置２０は、第１排出部２１と、第１積載部２２と、第２排出部２３と、第２積載部２４と、清浄部材３０とを有する。
【００３１】
第１排出部２１は、シートＳを排出する。具体的には、第１排出部２１は、第１ローラー対２１ａを有する。第１ローラー対２１ａは、シートＳを挟持しつつ回動して、シートＳを排出する。第１排出部２１は、壁部１ｃに設けられる。本実施形態では、第１排出部２１は、後処理装置１１に対し、搬送方向Ｘの下流に設置される。そして、第１排出部２１は、後処理装置１１を通過したシートＳを排出する。また、第１排出部２１は、筐体１の内部１ａから筐体１の外部１ｂへシートＳを排出する。
【００３２】
第１積載部２２には、第１排出部２１の排出したシートＳが積載される。言い換えれば、第１排出部２１は、第１積載部２２に向けてシートＳを排出する。第１積載部２２は、複数のシートＳを積載可能なトレイである。第１積載部２２は、筐体１の外部１ｂに設置される。第１積載部２２は、筐体１に取り付けられる。第１積載部２２は、第１排出部２１の下方に設置される。第１積載部２２の上部には、第１空間Ｅ１が形成される。第１空間Ｅ１は、筐体１の外部１ｂに位置する。第１空間Ｅ１は、第１積載空間Ｆ１の周囲の空間である。第１積載空間Ｆ１は、第１排出部２１の排出した複数のシートＳが、第１積載部２２上で積載される空間を示す。
【００３３】
第２排出部２３は、シートＳを排出する。具体的には、第２排出部２３は、第２ローラー対２３ａを有する。第２ローラー対２３ａは、シートＳを挟持しつつ回動して、シートＳを排出する。第２排出部２３は、壁部１ｃに設けられる。本実施形態では、第２排出部２３は、画像形成部９に対し、搬送方向Ｘの下流に設置される（図２参照）。そして、第２排出部２３は、画像形成部９を通過したシートＳを排出する。つまり、第２排出部２３は、後処理装置１１を通過しないシートＳを排出する。これに対し、第１排出部２１は、後処理装置１１を通過したシートＳを排出する。また、第２排出部２３は、筐体１の内部１ａから筐体１の外部１ｂへシートＳを排出する。
【００３４】
第２積載部２４には、第２排出部２３の排出したシートＳが積載される。言い換えれば、第２排出部２３は、第２積載部２４に向けてシートＳを排出する。第２積載部２４は、複数のシートＳを積載可能なトレイである。第１積載部２２は、筐体１の外部１ｂに設置される。また、本実施形態の第２積載部２４は、筐体１の胴内に設けられる。第２積載部２４は、筐体１の外面に形成される。第２積載部２４は、第２排出部２３の下方に設置される。第２積載部２４の上部には、第２空間Ｅ２が形成される。第２空間Ｅ２は、筐体１の外部１ｂに位置する。第２空間Ｅ２は、第２積載空間Ｆ２の周囲の空間である。第２積載空間Ｆ２は、第２排出部２３の排出した複数のシートＳが、第２積載部２４上で積載される空間を示す。
【００３５】
図４（ａ）は、清浄部材３０の第１の斜視図である。図４（ｂ）は、図４（ａ）に示す清浄部材３０の断面図である。図５（ａ）は、清浄部材３０の第２の斜視図である。図５（ｂ）は、図５（ａ）に示す清浄部材３０の断面図である。
【００３６】
図３から図５（ｂ）に示すように、清浄部材３０は、第１空間Ｅ１の空気と、第２空間Ｅ２の空気とを浄化する。清浄部材３０は、筐体１の内部１ａに設置される。清浄部材３０は、具体的には、送風部４０と、管部材５０と、浄化部６０とを有する。
【００３７】
送風部４０は、空気の流れを発生させる。送風部４０は、回転可能に支持される。送風部４０が回転すると、空気の流れが発生する。また、送風部４０の回転方向が反転すると、空気の流れる方向も反転する。送風部４０は、例えば、軸部と、軸部の外周に固定される複数の羽とを有する。そして、軸部が回転すると、複数の羽が風を送る。送風部４０は、例えば、ファンを含む。本実施形態の送風部４０は、複数の軸流ファン４１を含む。この場合、送風部４０が回転するとは、複数の軸流ファン４１の各々が回転することを示す。なお、送風部４０は、単数の軸流ファン４１を有していてもよい。送風部４０は、筐体１の内部１ａに設置される。
【００３８】
管部材５０は、例えば、空気が流通するダクトである。管部材５０は、略Ｕ字形状を有する。管部材５０は、第１空間Ｅ１に連通すると共に、第２空間Ｅ２に連通する。管部材５０は、第１管部５１と、第２管部５２と、管開口部５３とを有する。
【００３９】
第１管部５１は、両端に開口部が形成された筒形状を有する。第１管部５１は、第１空間Ｅ１に連通する。また、第１管部５１は、送風部４０に連通する。従って、送風部４０は、第１方向Ｖ１に空気の流れを発生させることができる。第１方向Ｖ１は、第１空間Ｅ１から第１管部５１を介して送風部４０に向かう方向を示す。本実施形態では、送風部４０が一方向に回転すると、空気が第１方向Ｖ１に流れる。
【００４０】
第１管部５１は、第１開口部５１ａと、第２開口部５１ｂとを有する。第１開口部５１ａは、第１管部５１の両端のうちの一端に形成される。第２開口部５１ｂは、第１管部５１の両端のうちの他端に形成される。
【００４１】
第１開口部５１ａは、壁部１ｃに形成される。第１開口部５１ａは、第１空間Ｅ１に対向する。本実施形態では、第１開口部５１ａは、第１空間Ｅ１に対し、第１排出方向Ｇ１の上流から、第１空間Ｅ１に対向する。第１排出方向Ｇ１は、第１排出部２１がシートＳを排出する方向を示す。第１開口部５１ａが第１空間Ｅ１に対向することで、第１開口部５１ａを介して第１管部５１が第１空間Ｅ１に連通する。その結果、送風部４０が第１方向Ｖ１に空気の流れを発生させると、第１空間Ｅ１の空気が、第１開口部５１ａを介して第１管部５１の内部に流入する。
【００４２】
第２開口部５１ｂは、送風部４０に対向する。本実施形態では、第２開口部５１ｂは、送風部４０に対し、上方から送風部４０に対向する。第２開口部５１ｂが送風部４０に対向することで、第２開口部５１ｂを介して第１管部５１が送風部４０に連通する。その結果、送風部４０が第１方向Ｖ１に空気の流れを発生させると、第１管部５１の内部の空気が、第２開口部５１ｂを介して送風部４０に向かう。
【００４３】
第２管部５２は、両端に開口部が形成された筒形状を有する。第２管部５２は、第２空間Ｅ２に連通する。また、第２管部５２は、送風部４０に連通する。従って、送風部４０は、第２方向Ｗ１に空気の流れを発生させることができる。第２方向Ｗ１は、第２空間Ｅ２から第２管部５２を介して送風部４０に向かう方向を示す。本実施形態では、送風部４０が一方向とは反対の他方向に回転すると、空気が第２方向Ｗ１に流れる。
【００４４】
第２管部５２は、第３開口部（第２開口部）５２ａと、第４開口部５２ｂとを有する。第３開口部５２ａは、第２管部５２の両端のうちの一端に形成される。第４開口部５２ｂは、第２管部５２の両端のうちの他端に形成される。
【００４５】
第３開口部５２ａは、壁部１ｃに形成される。第３開口部５２ａは、第２空間Ｅ２に対向する。本実施形態では、第３開口部５２ａは、第２空間Ｅ２に対し、第２排出方向Ｇ２の上流から第２空間Ｅ２に対向する。第２排出方向Ｇ２は、第２排出部２３がシートＳを排出する方向を示す。第３開口部５２ａが第２空間Ｅ２に対向することで、第３開口部５２ａを介して第２管部５２が第２空間Ｅ２に連通する。その結果、送風部４０が第２方向Ｗ１に空気の流れを発生させると、第２空間Ｅ２の空気が、第３開口部５２ａを介して第２管部５２の内部に流入する。
【００４６】
第４開口部５２ｂは、送風部４０に対向する。本実施形態では、第４開口部５２ｂは、送風部４０に対し、下方から送風部４０に対向する。第４開口部５２ｂが送風部４０に対向することで、第４開口部５２ｂを介して第２管部５２が送風部４０に連通する。その結果、送風部４０が第２方向Ｗ１に空気の流れを発生させると、第２管部５２の内部の空気は、第４開口部５２ｂを介して送風部４０に向かう。
【００４７】
送風部４０は、管部材５０に回転可能に取り付けられる。具体的には、送風部４０は、第１管部５１と第２管部５２とに回転可能に取り付けられる。送風部４０は、第１管部５１と第２管部５２との間に設置される。送風部４０は、第１方向Ｖ１、及び第２方向Ｗ１に空気の流れを発生させる。送風部４０は、空気の流れを発生させる方向を、第１方向Ｖ１と、第２方向Ｗ１との間で切り換え可能である。また、第１方向Ｖ１に空気の流れを発生させる送風部４０と、第２方向Ｗ１に空気の流れを発生させる送風部４０とは、同一の送風部４０である。送風部４０は、第１方向Ｖ１に空気の流れを発生させることで、第１管部５１、及び第２管部５２を介して、第１空間Ｅ１の空気を第２空間Ｅ２に送る（図３の矢印Ｖ１、及び矢印Ｖ２参照）。また、送風部４０は、第１方向Ｖ１に空気の流れを発生させることで、第２管部５２、及び第１管部５１を介して、第２空間Ｅ２の空気を第１空間Ｅ１に送る（図３の矢印Ｗ１、及び矢印Ｗ２参照）。
【００４８】
第１管部５１と第２管部５２とは、互いに連結される。つまり、第１管部５１と第２管部５２とが一体形成される。従って、第１管部５１と第２管部５２とを筐体１に設置する際、第１管部５１と第２管部５２とを一括して設置することができる。その結果、第１管部５１と第２管部５２とを筐体１に円滑に設置することができる。なお、第１管部５１と第２管部５２とが、互いに連結されていなくてもよい。つまり、第１管部５１と第２管部５２とが、別体でもよい。この場合、第１管部５１と第２管部５２との各々を、所望の位置に設置することができる。その結果、第１管部５１と第２管部５２との設置の自由度を向上させることができる。
【００４９】
管開口部５３は、第１管部５１と第２管部５２との間に設置される（図５（ａ）参照）。管開口部５３は、送風部４０に対向する位置に設置される。管開口部５３を介して、送風部４０が管部材５０に着脱される。
【００５０】
浄化部６０は、空気を浄化する。詳細には、空気が浄化部６０を通過すると、浄化部６０が空気を浄化する。空気を浄化するとは、空気中の不純物を低減させることを示す。本実施形態では、浄化部６０は、空気を濾過する。従って、空気が浄化部６０を通過すると、浄化部６０が空気を濾過する。その結果、浄化部６０には、空気中の不純物が溜まる。
【００５１】
不純物は、画像を形成されたシートＳが、第１積載部２２及び第２積載部２４のような排出トレイに排出された際に、シートＳから空気中に放出される物質を示す。不純物は、例えば、所定の付着物質に起因して発生する。所定の付着物質は、シートＳに画像を形成するために、シートＳに付着した物質を示す。不純物は、例えば、臭気を発生する。不純物は、例えば、揮発性有機化合物（ＶＯＣ）、及び／又は、超微粒子（ＵＦＰ）である。
【００５２】
浄化部６０は、例えば、フィルターを含む。そして、浄化部６０は、フィルターにより空気中の不純物を空気から分離し、空気中の不純物を低減させる。本実施形態の浄化部６０は、活性炭フィルターを含む。本実施形態では、複数の浄化部６０が設けられる。複数の浄化部６０は、第１浄化部６１と、第２浄化部６２とを含む。第１浄化部６１は、第１管部５１に取り付けられる。第１浄化部６１は、第１管部５１の内部に設置される。第１管部５１の内部は、第１管部５１の内面で囲まれた空間を示す。第２浄化部６２は、第２管部５２に取り付けられる。第２浄化部６２は、第２管部５２の内部に設置される。第２管部５２の内部は、第２管部５２の内面で囲まれた空間を示す。第１浄化部６１と第２浄化部６２との間には、送風部４０が設置される。第１浄化部６１は、送風部４０の上方に位置する。第２浄化部６２は、送風部４０の下方に位置する。
【００５３】
以上、図３から図５（ｂ）を参照して説明したように、送風部４０は、第１方向Ｖ１、及び第２方向Ｗ１に空気の流れを発生させる。従って、同一の送風部４０で、第１空間Ｅ１の空気を浄化部６０（第１浄化部６１）に送って浄化することができると共に、第２空間Ｅ２の空気を浄化部６０（第１浄化部６１）に送って浄化することができる。つまり、同一の送風部４０で、第１積載部２２の上部の空気を浄化することができると共に、第２積載部２４の上部の空気を浄化することができる。その結果、積載部毎に送風部４０を設ける必要がなく、シート排出装置２０をコンパクトに構成することが可能になる。
【００５４】
また、送風部４０が一方向に回転すると、空気が第１方向Ｖ１に流れる。そして、送風部４０が他方向に回転すると、空気が第２方向Ｗ１に流れる。従って、第１方向Ｖ１に空気の流れを発生される部材と、第２方向Ｗ１に空気の流れを発生させる部材とをそれぞれ設ける必要がない。その結果、シート排出装置２０をコンパクトに構成することが可能になる。
【００５５】
また、送風部４０は、第１方向Ｖ１に空気の流れを発生させることで、第１管部５１、及び第２管部５２を介して第１空間Ｅ１の空気を第２空間Ｅ２に送る。空気は、第１管部５１を通過する際、第１浄化部６１により浄化される。従って、浄化された空気を第２空間Ｅ２に送ることが可能になる。
【００５６】
また、送風部４０は、第２方向Ｗ１に空気の流れを発生させることで、第２管部５２、及び第１管部５１を介して第２空間Ｅ２の空気を第１空間Ｅ１に送る。空気は、第２管部５２を通過する際、第２浄化部６２により浄化される。従って、浄化された空気を第１空間Ｅ１に送ることが可能になる。
【００５７】
次に、図３に戻って、シート排出装置２０を構成する部材の位置について説明する。
【００５８】
図３に示すように、第１積載部２２は、第２積載部２４よりも上方に位置する。
【００５９】
第１排出位置Ｊ１と、第１開口部５１ａとは、第１積載部２２よりも上方に位置する。第１排出位置Ｊ１は、第１排出部２１がシートＳを排出する位置を示す。詳細には、第１排出位置Ｊ１は、第１積載部２２に向けて第１排出部２１がシートＳを排出する位置を示す。本実施形態では、第１排出位置Ｊ１は、第１ローラー対２１ａの位置する場所を示す。言い換えれば、第１排出位置Ｊ１は、第１排出口を示す。第１排出口は、筐体１に形成され、筐体１の内部１ａと筐体１の外部１ｂとを連通する。また、第１排出口には、第１ローラー対２１ａが対向し、又は、第１排出口には、第１ローラー対２１ａが設置される。第１開口部５１ａは、第１排出位置Ｊ１よりも下方に位置する。
【００６０】
第２排出位置Ｊ２と、第３開口部５２ａとは、第２積載部２４よりも上方に位置する。第２排出位置Ｊ２は、第２排出部２３がシートＳを排出する位置を示す。詳細には、第２排出位置Ｊ２は、第２積載部２４に向けて第２排出部２３がシートＳを排出する位置を示す。本実施形態では、第２排出位置Ｊ２は、第２ローラー対２３ａの位置する場所を示す。言い換えれば、第２排出位置Ｊ２は、第２排出口を示す。第２排出口は、筐体１に形成され、筐体１の内部１ａと筐体１の外部１ｂとを連通する。また、第２排出口には、第２ローラー対２３ａが対向し、又は、第２排出口には、第２ローラー対２３ａが設置される。第３開口部５２ａは、第２排出位置Ｊ２よりも上方に位置する。
【００６１】
清浄部材３０（送風部４０、管部材５０、及び浄化部６０）は、内側領域Ｍに設置される。内側領域Ｍは、筐体１の内部１ａに形成され、第１シート排出路Ｎ１と、第２シート排出路Ｎ２とで囲まれた領域を示す。第１シート排出路Ｎ１は、シートＳが第１排出部２１に向けて移動する際の、シートＳの移動経路を示す。本実施形態では、第２案内部１３と第３案内部１４とが、第１シート排出路Ｎ１に相当する。第２シート排出路Ｎ２は、シートＳが第２排出部２３に向けて移動する際の、シートＳの移動経路を示す。本実施形態では、第４案内部１５が、第２シート排出路Ｎ２に相当する。
【００６２】
以上、図３を参照して説明したように、第１開口部５１ａは、第１排出位置Ｊ１よりも下方に位置する。第３開口部５２ａは、第２排出位置Ｊ２よりも上方に位置する。従って、清浄部材３０を内側領域Ｍに設置することが可能になる。その結果、第１シート排出路Ｎ１と第２シート排出路Ｎ２とに清浄部材３０を干渉させることなく、筐体１の内部１ａに清浄部材３０を設置することが可能になる。
【００６３】
次に、図６を参照して、画像形成装置１００についてさらに説明する。図６は、画像形成装置１００を示すブロック図である。
【００６４】
図６に示すように、画像形成装置１００は、記憶部７０と、制御部８０とをさらに備える。
【００６５】
記憶部７０は、記憶装置を含む。記憶装置は、ＲＯＭ（Ｒｅａｄ  Ｏｎｌｙ  Ｍｅｍｏｒｙ）、及びＲＡＭ（Ｒａｎｄｏｍ  Ａｃｃｅｓｓ  Ｍｅｍｏｒｙ）のような主記憶装置（例えば、半導体メモリー）を含み、補助記憶装置（例えば、ハードディスクドライブ）をさらに含んでもよい。主記憶装置及び／又は補助記憶装置は、制御部８０によって実行される種々のコンピュータープログラムを記憶する。
【００６６】
制御部８０は、ＣＰＵ（Ｃｅｎｔｒａｌ  Ｐｒｏｃｅｓｓｉｎｇ  Ｕｎｉｔ）及びＭＰＵ（Ｍｉｃｒｏ  Ｐｒｏｃｅｓｓｉｎｇ  Ｕｎｉｔ）のようなプロセッサーを含む。制御部８０は、画像形成装置１００の各要素を制御する。具体的には、制御部８０のプロセッサーは、記憶装置に記憶されたコンピュータープログラムを実行することにより、第１搬送ローラー３と、読取部４と、入力部５と、給送ローラー７と、第２搬送ローラー８と、画像形成部９と、分岐ガイド１０と、後処理装置１１と、第１案内部１２と、第２案内部１３と、第３案内部１４と、第４案内部１５と、第１排出部２１と、第２排出部２３と、送風部４０と、記憶部７０とを制御する。制御部８０は、第１排出部２１と、第２排出部２３と、送風部４０とを制御する際、シート排出装置２０の構成要素として機能する。
【００６７】
なお、第１搬送ローラー３、給送ローラー７、第２搬送ローラー８、分岐ガイド１０、第１案内部１２、第２案内部１３、第３案内部１４、第４案内部１５、第１排出部２１、第２排出部２３、及び送風部４０のような駆動部材は、例えば、ギア及びクラッチを介してモーターに接続されている。制御部８０は、例えば、ギア、クラッチ、及びモーターを操作して駆動部材を制御する。
【００６８】
次に、図７から図８（ｂ）を参照して、制御部８０の動作について説明する。図７は、制御部８０の動作を示すフローチャートである。図８（ａ）は、空気Ｚ１が第１方向Ｖ１に流れている状態を示す図である。図８（ｂ）は、空気Ｚ２が第２方向Ｗ１に流れている状態を示す図である。
【００６９】
図７に示すように、ステップＳ１０において、入力部５は、ユーザーからジョブの指示を受け付ける。本実施形態のジョブは、シートＳに画像を形成するジョブを示す。
【００７０】
ステップＳ１１において、制御部８０は、ステップＳ１０で入力されたジョブが、後処理装置１１を使用するジョブであるか否かを判定する。後処理装置１１を使用する場合（ステップＳ１１でＹｅｓ）、処理がステップＳ１２に移行する。後処理装置１１を使用しない場合（ステップＳ１１でＮｏ）、処理がステップＳ１４に移行する。
【００７１】
図７、及び図８（ａ）に示すように、ステップＳ１２において、第１方向Ｖ１に空気Ｚ１が流れるように、制御部８０が送風部４０を制御する。つまり、送風部４０が一方向に回転するように、制御部８０が送風部４０を制御する。その結果、第１空間Ｅ１の空気Ｚ１が、第１管部５１、及び第２管部５２を介して、第２空間Ｅ２に送られる。
【００７２】
ステップＳ１３において、制御部８０は、ステップＳ１０で入力されたジョブを実行する。具体的には、制御部８０は、給送ローラー７、第２搬送ローラー８、及び画像形成部９を制御してシートＳに画像を形成する。そして、制御部８０は、分岐ガイド１０、後処理装置１１、第１案内部１２、第２案内部１３を制御してシートＳに後処理を行う。そして、制御部８０は、第３案内部１４、及び第１排出部２１を制御して、シートＳを第１積載部２２に排出する。
【００７３】
画像を形成されたシートＳが第１積載部２２に排出されると、シートＳから不純物αが放出される。そして、第１空間Ｅ１には不純物αを含んだ空気Ｚ１が発生する。本実施形態では、ステップＳ１２、及びステップＳ１３に示すように、送風部４０が第１空間Ｅ１の空気Ｚ１を第１方向Ｖ１に送っている状態で、第１排出部２１が第１積載部２２にシートＳを排出する。従って、不純物αを含んだ空気Ｚ１は、第１空間Ｅ１から第１管部５１の内部に流入し、送風部４０に向かって流れる。そして、空気Ｚ１は、第１浄化部６１を通過する。空気Ｚ１が第１浄化部６１を通過する際、第１浄化部６１が空気Ｚ１を濾過し、空気Ｚ１中の不純物αを低減させる。その結果、浄化された空気Ｚ１が、第２管部５２を介して第２空間Ｅ２に送られる（矢印Ｖ２参照）。
【００７４】
図７、及び図８（ｂ）に示すように、ステップＳ１４において、第２方向Ｗ１に空気Ｚ２が流れるように、制御部８０が送風部４０を制御する。つまり、送風部４０が他方向に回転するように、制御部８０が送風部４０を制御する。その結果、第２空間Ｅ２の空気Ｚ２が、第２管部５２、及び第１管部５１を介して、第１空間Ｅ１に送られる。
【００７５】
ステップＳ１５において、制御部８０は、ステップＳ１０で入力されたジョブを実行する。具体的には、制御部８０は、給送ローラー７、第２搬送ローラー８、及び画像形成部９を制御してシートＳに画像を形成する。そして、制御部８０は、分岐ガイド１０、第１案内部１２、第４案内部１５、及び第２排出部２３を制御して、シートＳを第２積載部２４に排出する。
【００７６】
画像を形成されたシートＳが第２積載部２４に排出されると、シートＳから不純物αが放出される。そして、第２空間Ｅ２には不純物αを含んだ空気Ｚ２が発生する。本実施形態では、ステップＳ１４、及びステップＳ１５に示すように、送風部４０が第２空間Ｅ２の空気Ｚ２を第２方向Ｗ１に送っている状態で、第２排出部２３が第２積載部２４にシートＳを排出する。従って、不純物αを含んだ空気Ｚ２は、第２空間Ｅ２から第２管部５２の内部に流入し、送風部４０に向かって流れる。そして、空気Ｚ２は、第２浄化部６２を通過する。空気Ｚ２が第２浄化部６２を通過する際、第２浄化部６２が空気Ｚ２を濾過し、空気Ｚ２中の不純物αを低減させる。その結果、浄化された空気Ｚ２が、第１管部５１を介して第１空間Ｅ１に送られる（矢印Ｗ２参照）。
【００７７】
以上、図７から図８（ｂ）を参照して説明したように、第１排出部２１がシートＳを排出するとき、第１方向Ｖ１に空気Ｚ１が流れるように、制御部８０が送風部４０を制御する（図８（ａ）参照）。また、第２排出部２３がシートＳを排出するとき、第２方向Ｗ１に空気Ｚ１が流れるように、制御部８０が送風部４０を制御する（図８（ｂ）参照）。従って、シートＳの排出先に合わせて、空気の流れる方向を、第１方向Ｖ１、及び第２方向Ｗ１のうちのいずれかに切り替える。その結果、空気中の不純物αを効果的に低減させることが可能になる。
【００７８】
以上、図面（図１〜図８（ｂ））を参照しながら本発明の実施形態について説明した。但し、本発明は、上記の実施形態に限られるものではなく、その要旨を逸脱しない範囲で種々の態様において実施することが可能である（例えば、（１）〜（４））。また、上記の実施形態に開示されている複数の構成要素を適宜組み合わせることによって、種々の発明の形成が可能である。例えば、実施形態に示される全構成要素から幾つかの構成要素を削除してもよい。図面は、理解しやすくするために、それぞれの構成要素を主体に模式的に示しており、図示された各構成要素の個数等は、図面作成の都合から実際とは異なる場合もある。また、上記の実施形態で示す各構成要素は一例であって、特に限定されるものではなく、本発明の効果から実質的に逸脱しない範囲で種々の変更が可能である。
【００７９】
（１）本実施形態の画像形成装置１００は、後処理装置１１を備える。しかし、本発明はこれに限定されない。画像形成装置１００は、後処理装置１１を備えなくてもよい。画像形成装置１００は、画像の形成されたシートＳを、複数のシート積載部のうちのいずれかに排出する構成を有していればよい。
【００８０】
（２）本実施形態では、画像形成装置１００がトナー像をシートＳに形成する。しかし、本発明はこれに限定されない。画像形成装置１００は、シートＳに画像を形成する機能を有していればよい。画像形成装置１００は、例えば、インクジェット方式のプリンターであってもよい。また、画像形成装置１００は、プリンター単体に限らず、複写機、ファクシミリ装置、及び複合機でもよい。
【００８１】
（３）本実施形態では、第１管部５１の内部、及び、第２管部５２の内部に浄化部６０が設置される。しかし、本発明はこれに限定されない。浄化部６０は、第１管部５１の内部、及び第２管部５２の内部のうちのいずれかに設置されていてもよい。従って、浄化部６０は、第１管部５１の内部、及び、第２管部５２の内部のうち、少なくとも一方に設置される。第１管部５１の内部、又は、第２管部５２の内部に浄化部６０を設置するように構成すると、部品点数を削減することができる点で有利である。
【００８２】
なお、本実施形態のように、第１管部５１の内部、及び、第２管部５２の内部に浄化部６０（第１浄化部６１、及び第２浄化部６２）を設置する方が、空気中の不純物αを効果的に低減できる点で有利である。具体的に説明すると、送風部４０が第１方向Ｖ１に空気Ｚ１の流れを発生させるとき（図８（ａ）参照）、第１空間Ｅ１から第１管部５１に流入する空気Ｚ１の速度を第１浄化部６１により遅くすることができる。空気Ｚ１の速度を遅くすることで、第１管部５１に不純物αを効果的に流入させることができる。その結果、第１空間Ｅ１の空気Ｚ１を効果的に浄化することが可能になる。また、送風部４０が第２方向Ｗ１に空気Ｚ２の流れを発生させるとき（図８（ｂ）参照）、第２空間Ｅ２から第２管部５２に流入する空気Ｚ２の速度を第２浄化部６２により遅くすることができる。空気Ｚ２の速度を遅くすることで、第２管部５２に不純物αを効果的に流入させることができる。その結果、第２空間Ｅ２の空気Ｚ２を効果的に浄化することが可能になる。
【００８３】
また、第１管部５１の内部、及び、第２管部５２の内部に浄化部６０（第１浄化部６１、及び第２浄化部６２）を設置すると、送風部４０の直前で空気が浄化される。具体的には、第１方向Ｖ１に空気Ｚ１が流れると、送風部４０の直前で第１浄化部６１により空気Ｚ１が浄化される（図８（ａ）参照）。また、第２方向Ｗ１に空気Ｚ２が流れると、送風部４０の直前で第２浄化部６２により空気Ｚ２が浄化される。従って、送風部４０に不純物αが付着することを抑制できる。その結果、送風部４０が不純物αで汚れることを効果的に抑制できる。
【００８４】
（４）図９は、本実施形態の画像形成装置１００の変形例を示す図である。図３及び図９を参照して、本実施形態の画像形成装置１００の変形例について説明する。
【００８５】
図３に示すように、本実施形態では、第１開口部５１ａは、第１空間Ｅ１に対し、第１排出方向Ｇ１の上流から対向する。また、本実施形態では、第３開口部５２ａは、第２空間Ｅ２に対し、第２排出方向Ｇ２の上流から対向する。しかし、本発明はこれに限定されない。第１開口部５１ａは、第１空間Ｅ１に連通していればよい。つまり、第１開口部５１ａが第１空間Ｅ１に対向する方向は、特に限定されない。また、第３開口部５２ａは、第２空間Ｅ２に連通していればよい。つまり、第３開口部５２ａが第２空間Ｅ２に対向する方向は、特に限定されない。
【００８６】
図９に示すように、第１開口部５１ａは、第１空間Ｅ１に対し、垂直方向のうちの一側方向Ｈから対向してもよい。また、第３開口部５２ａは、第２空間Ｅ２に対し、一側方向Ｈから対向してもよい。垂直方向は、第１排出方向Ｇ１に対し垂直な方向を示す。また、一側方向Ｈは、垂直方向のうちの一つの方向を示す。本実施形態では、一側方向Ｈは、図９の紙面奥行き方向を示す。この場合、シート排出装置２０は、側壁部１ｄの裏側に設置される。また、側壁部１ｄには、第１開口部５１ａと、第３開口部５２ａとが形成される。側壁部１ｄは、壁部１ｃのうち、第１空間Ｅ１及び第２空間Ｅ２に対して一側方向Ｈに位置する壁部を示す。
【００８７】
以上、図９を参照して説明したように、第１開口部５１ａが第１空間Ｅ１に対し、一側方向Ｈから第１空間Ｅ１に対向する。また、第３開口部５２ａが第２空間Ｅ２に対し、一側方向Ｈから第２空間Ｅ２に対向する。従って、清浄部材３０を内側領域Ｍの外側に設置して、清浄部材３０を第１シート排出路Ｎ１及び第２シート排出路Ｎ２から離間させることができる。その結果、第１シート排出路Ｎ１及び第２シート排出路Ｎ２に邪魔されること無く、筐体１の内部１ａに清浄部材３０を設置することができる。
【産業上の利用可能性】
【００８８】
本発明は、シート排出装置、及び画像形成装置の分野に利用可能である。
【符号の説明】
【００８９】
９      画像形成部
２１    第１排出部
２２    第１積載部
２３    第２排出部
２４    第２積載部
４０    送風部
５１    第１管部
５１ａ  第１開口部
５２    第２管部
５２ａ  第３開口部（第２開口部）
６０    浄化部
８０    制御部
１００  画像形成装置
Ｅ１    第１空間
Ｅ２    第２空間
Ｊ１    第１排出位置
Ｊ２    第２排出位置
Ｐ      シート
Ｖ１    第１方向
Ｗ１    第２方向
【図１】
2019055869.tif 000003
【図２】
2019055869.tif 000004
【図３】
2019055869.tif 000005
【図４】
2019055869.tif 000006
【図５】
2019055869.tif 000007
【図６】
2019055869.tif 000008
【図７】
2019055869.tif 000009
【図８】
2019055869.tif 000010
【図９】
2019055869.tif 000011